(57)【要約】      （修正有）【課題】高い防犯性の確保、確実な商品の販売動作、および製造コストの削減をいずれも達成できる自動販売機の販売口装置を提供する。【解決手段】自動販売機の販売口装置１は、商品収納庫から払い出された商品Ｓを受け入れるとともに、受け入れた商品Ｓを商品購入者が取り出すための取出口１２を有する商品販売室１０および防犯板１３を備える。商品収納庫と商品販売室１０との間には、商品収納庫から払い出された商品Ｓを商品販売室１０に受け渡す販売口１５が形成され、防犯板１３は、販売口１５の付近に設けられた取付部６０ｃに対して、通常位置と通常位置よりも販売口１５の開口面積が小さい防犯位置とに選択的に取付可能に構成され、防犯位置に取り付けられたときに、商品収納庫側へのアクセスを防止する。【選択図】  図４
2006243885.tif 000002
【特許請求の範囲】
【請求項１】
商品の販売時、複数の商品を収納する商品収納部から払い出された商品を受け入れ、販売するための自動販売機の販売口装置であって、
前記商品収納部から払い出された前記商品を受け入れるとともに、当該受け入れた商品を商品購入者が取り出すための取出口を有する商品販売室を備え、
前記商品収納部と前記商品販売室との間には、前記商品収納部から払い出された前記商品を前記商品販売室に受け渡す販売口が形成されており、
当該販売口の付近に設けられた取付部と、
当該取付部に対して、少なくとも通常位置と当該通常位置よりも前記販売口の開口面積が小さい防犯位置とに選択的に取付可能に構成され、当該防犯位置に取り付けられたときに、前記商品収納部側へのアクセスを防止する防犯部材と、
をさらに備えることを特徴とする自動販売機の販売口装置。
【請求項２】
前記自動販売機は、前記取出口側の面が開口した販売機本体と、当該販売機本体を開閉するメインドアとを備え、
前記防犯部材は、前記メインドアが開放状態にあるときのみ、前記取付部への取付位置を変更可能に構成されていることを特徴とする請求項１に記載の自動販売機の販売口装置。
【発明の詳細な説明】
【技術分野】
【０００１】
本発明は、自動販売機の内部への不正なアクセスを防止する防犯機能を備えた自動販売機の販売口装置に関する。
【背景技術】
【０００２】
従来、この種の自動販売機の販売口装置として、特許文献１に記載されたものが知られている。この自動販売機は、ペットボトルを販売するものであり、前面が開口した販売機本体と、これを開閉するメインドアと、メインドアの内側に設けられた断熱ドアなどを備えている。また、販売口装置は、メインドア内に設けられ、その前面に取出口を有し、背面が開放された販売商品室と、取出口を互いに協働しながら開閉する取出口扉および商品受け扉と、販売商品室内に回動自在に設けられた防犯板などで構成されている。また、断熱ドアは、販売商品室の後方に形成された販売口と、これを開閉する販売口扉を備えている。
【０００３】
この販売口装置では、販売時、商品は、シュート上を滑落し、販売口扉を押し開けながら販売口から前方に払い出され、販売商品室内に落下する。その際、販売口扉は、防犯板に後方から当接し、これを押しながら前方に回動した後、販売口側に戻る。その後、商品購入者は、取出口扉および商品受け扉を開け、防犯板を後方に押しのけながら、販売商品室内から商品を取り出す。一方、販売口の内側に不正にアクセスしようとする者が、取出口扉および商品受け扉を開け、手を取出口から差し込み、販売口扉を手前に開放しようとしても、防犯板が販売口扉側に回動し、販売口扉を手前に開放する際に邪魔になることで、これを十分に開放できず、販売口の内側に手を差し込むことができない。その結果、商品の盗難やいたずらなどが防止される。
【０００４】
【特許文献１】特開２００２−２０３２７０号公報
【発明の開示】
【発明が解決しようとする課題】
【０００５】
加温または冷却する必要がない商品を販売する自動販売機では、断熱ドアおよび販売口扉を備えていないものが一般的である。そのようなタイプの自動販売機に上記販売口装置を適用した場合、上記販売口装置は、防犯板により販売口扉の開放が阻止されることで、防犯性能を確保するものであるため、販売口扉がないと、防犯板による防犯性を確保できなくなってしまう。
【０００６】
これを解消すべく、販売口扉に相当する構成を付加した場合、その分、部品点数が増えることで、製造コストの上昇を招いてしまう。これに加えて、煙草などの軽量な商品を販売する場合、販売口扉を設けると、商品がこれに引っかかってしまい、販売動作が正常に実行されなくなるおそれもある。
【０００７】
本発明は、上記課題を解決するためになされたもので、高い防犯性の確保、確実な商品の販売動作、および製造コストの削減をいずれも達成できる自動販売機の販売口装置を提供することを目的とする。
【課題を解決するための手段】
【０００８】
上記目的を達成するために、請求項１に係る発明は、商品の販売時、複数の商品を収納する商品収納部から払い出された商品を受け入れ、販売するための自動販売機の販売口装置であって、商品収納部から払い出された商品を受け入れるとともに、受け入れた商品を商品購入者が取り出すための取出口を有する商品販売室を備え、商品収納部と商品販売室との間には、商品収納部から払い出された商品を商品販売室に受け渡す販売口が形成されており、販売口の付近に設けられた取付部と、取付部に対して、少なくとも通常位置と通常位置よりも販売口の開口面積が小さい防犯位置とに選択的に取付可能に構成され、防犯位置に取り付けられたときに、商品収納部側へのアクセスを防止する防犯部材と、をさらに備えることを特徴とする。
【０００９】
この自動販売機の販売口装置によれば、商品の販売時、商品収納部から払い出された商品は、販売口を介して商品販売室内に受け入れられ、その後、商品購入者によって取出口から取り出される。また、防犯部材は、防犯位置に取り付けられた状態で、商品収納部側へのアクセスを防止するものであるので、防犯部材を防犯位置に予め取り付けておくことにより、商品収納部側への不正なアクセスを試みる者が、手を取出口から商品販売室内に差し込み、さらに販売口に差し込んだとしても、商品収納部側への不正なアクセスが防犯部材により防止され、高い防犯性を確保できる。
【００１０】
さらに、防犯部材は、取付部に対して、少なくとも通常位置と通常位置よりも販売口の開口面積がより小さい防犯位置とに選択的に取付可能に構成されているので、防犯部材が２つの位置に取り付けられたときの販売口の開口面積をそれぞれ適切な値に設定するとともに、自動販売機の設置場所における安全性の高さ（すなわち商品の盗難またはいたずらが発生する可能性の度合）に応じて、防犯部材の取付位置を変更することにより、販売動作の確実性および高い防犯性をバランス良く得ることができる。例えば、設置場所の安全性が高い場合には、防犯部材を通常位置に取り付け、販売口の開口面積を防犯位置よりも大きく設定することで、販売時、商品を販売口から商品販売室に円滑に受け渡すことができ、販売動作の確実性を高めることができる。一方、設置場所の安全性が低い場合には、防犯部材を防犯位置に取り付け、販売口の開口面積を通常位置よりも小さく設定することで、防犯性をより高めることができる。また、従来と異なり、防犯部材以外の部品を用いることなく、高い防犯性を確保でき、それにより、防犯性の確保および製造コストの削減を両立することができる。
【００１１】
請求項２に係る発明は、請求項１に記載の自動販売機の販売口装置において、自動販売機は、取出口側の面が開口した販売機本体と、販売機本体を開閉するメインドアとを備え、防犯部材は、メインドアが開放状態にあるときのみ、取付部への取付位置を変更可能に構成されていることを特徴とする。
【００１２】
この自動販売機の販売口装置によれば、防犯部材は、メインドアが開放状態にあるときのみ、取付部への取付位置を変更可能に構成されているので、自動販売機の設置者またはオペレータがメインドアを開放しない限り、販売口の開口面積を変更できない。その結果、商品の盗難やいたずらなどをより確実に防止することができる。これに加えて、防犯部材の取付部への取付位置がメインドアを開放した状態で変更されるので、その変更動作を容易に行うことができる。
【発明を実施するための最良の形態】
【００１３】
以下、図面を参照しながら、本発明の一実施形態に係る自動販売機の販売口装置について説明する。図１および図２は、本実施形態の販売口装置１を備えた自動販売機２を示している。両図に示すように、この自動販売機２は、たばこなどの箱型の商品Ｓ（図４参照）を販売するものであり、前面が開口した縦長ボックス状の販売機本体３と、この販売機本体３の前面を開閉するメインドア４などを備えている。
【００１４】
図２に示すように、自動販売機２では、２つの商品収納庫５，５（商品収納部）が販売機本体３の内部およびメインドア４の背面側にそれぞれ設けられており、これらの商品収納庫５，５の下方には、シュート６および販売口装置１が設けられている。
【００１５】
各商品収納庫５は、上下方向に延び、多数の商品Ｓを収納する上下２段の商品通路５ａ，５ａと、各商品通路５ａの下端部に設けられた商品払出機構５ｂなどを備えている。この商品収納庫５では、販売時、商品Ｓは、商品払出機構５ｂによって、１つずつ下方のシュート６に払い出される。
【００１６】
シュート６は、図２，３に示すように、左・中・右のシュート板６０，６１，６２を組み合わせたものであり、これらの３つのシュート板６０〜６２はいずれも、金属板の曲げ加工および打ち抜き加工により製作されている。左右のシュート板６０，６２は、面対称な形状を備えており、左シュート板６０は、斜め右下がりの傾斜部６０ａと、その下端部から下方に延びる左側壁部６０ｂとを備えている。この傾斜部６０ａの前端部には、取付部６０ｃが形成されており、この取付部６０ｃは、傾斜部６０ａの前端部から下方に直角に折れ曲がっているとともに、その所定位置には、後述する防犯板１３を取り付けるための雌ねじ孔６０ｄが形成されている（図４参照）。
【００１７】
また、右シュート板６２は、斜め左下がりの傾斜部６２ａと、その下端部から下方に延びる右側壁部６２ｂとを備えており、この傾斜部６２ａの前端部には、取付部６２ｃが形成されている。この取付部６２ｃは、傾斜部６２ａの前端部から下方に直角に折れ曲がっており、その所定位置には、防犯板１３を取り付けるための雌ねじ孔（図示せず）が形成されている。
【００１８】
さらに、中シュート板６１は、鉛直な背壁部６１ａと、その下端部から斜め前下がりに延びる傾斜部６１ｂと、傾斜部６１ｂの前端部から前方に延びる底壁部６１ｃとを備えている。
【００１９】
一方、図２〜４に示すように、販売口装置１は、シュート６からの商品Ｓを受け入れる商品販売室１０と、販売された商品Ｓを商品購入者が取り出すための取出口１２を開閉する取出口扉１１と、防犯部材としての防犯板１３などを備えている。商品販売室１０は、左右の側壁１０ａ（１つのみ図示）、天壁１０ｂ、底壁１０ｃおよび前壁１０ｄなどにより形成されており、メインドア４内の下側に設けられている。この商品販売室１０の前壁１０ｄには、取出口１２が開口している。
【００２０】
取出口扉１１は、透明な合成樹脂板で構成され、その上端部が商品販売室１０の側壁１０ａに回動自在に取り付けられている。それにより、取出口扉１１は、通常時、取出口１２を閉鎖し（図４参照）、販売時、商品購入者により後方に押されると、上端部を中心として図４の反時計回りに回動し、取出口１２を開放する（図示せず）。
【００２１】
また、防犯板１３は、横長の金属板で構成され、その左右端部には、上下１組の取付孔１３ａ，１３ｂが、互いに間隔を存して形成されている。防犯板１３は、ねじ１４を、左側の上下の取付孔１３ａ，１３ｂの一方に通し、前述したシュート６の取付部６０ｃの雌ねじ孔６０ｄにねじ込むとともに、別のねじ１４を、右側の上下の取付孔１３ａ，１３ｂの一方に通し、取付部６２ｃの雌ねじ孔にねじ込むことにより、シュート６の前端部に取り付けられている。すなわち、防犯板１３は、シュート６にねじ止めする際、上下の取付孔１３ａ，１３ｂの一方を選択することにより、図３，４に実線で示す通常位置と、図３，４に２点鎖線で示す防犯位置とに選択的に取り付けられる。
【００２２】
この防犯板１３の下端と、シュート６の左右の側壁部６０ｂ，６２ｂおよび底壁部６１ｃの前端との間は、販売口１５になっており、販売時、シュート６上を滑落した商品Ｓは、この販売口１５を介して商品販売室１０側に受け渡される。また、防犯板１３が防犯位置に取り付けられているときには、通常位置に取り付けられているときと比べて、販売口１５の高さが低くなり、販売口１５の開口面積がより小さな値に制限される。
【００２３】
この場合、防犯板１３が通常位置に取り付けられている状態では、販売口１５の高さは、販売時、シュート６上を滑落した商品Ｓが、販売口１５を介して商品販売室１０側に円滑に受け渡されるような値に設定されている。一方、防犯板１３が防犯位置に取り付けられている状態では、販売口１５の高さは、販売時、シュート６上を滑落した商品Ｓが、販売口１５を介して商品販売室１０側に円滑に受け渡されるとともに、商品払出機構５ｂ側への不正なアクセスを試みる者が、手を取出口１２から商品販売室１０内に差し込み、さらに販売口１５に差し込んだとしても、商品払出機構５ｂ側にアクセスできないような値に設定されている。
【００２４】
さらに、図４に示すように、メインドア４を閉鎖した状態では、ねじ１４の前方にメインドア４の後壁が近接しており、これにより、メインドア４を開放した状態でのみ、ねじ１４を緩め、防犯板１３をシュート６から取り外すことができるように構成されている。
【００２５】
以上のように構成された本実施形態の販売口装置１によれば、防犯板１３が通常位置と、これよりも販売口１５の高さが低くなる防犯位置とに選択的に取り付け可能であるので、自動販売機２の設置場所における安全性の高さ、すなわち犯罪やいたずらが発生する可能性の度合に応じて、防犯板１３の取付位置を変更することにより、販売動作の確実性および高い防犯性をバランス良く得ることができる。例えば、設置場所の安全性が高い場合には、防犯板１３を通常位置に取り付け、販売口１５の開口面積を防犯位置よりも大きく設定することで、販売時、商品Ｓを販売口１５から商品販売室１０に円滑に受け渡すことができ、販売動作の確実性を高めることができる。一方、設置場所の安全性が低い場合には、防犯板１３を防犯位置に取り付け、販売口１５の開口面積を通常位置よりも小さく設定することで、防犯性をより高めることができる。また、従来と異なり、防犯板１３以外の部品を用いることなく、高い防犯性を確保でき、それにより、防犯性の確保および製造コストの削減を両立することができる。
【００２６】
また、防犯板１３は、メインドア４が開放状態にあるときのみ、取付部６０ｃ，６２ｃへの取付位置を変更可能に構成されているので、自動販売機２の設置者またはオペレータがメインドア４を開放しない限り、販売口１５の開口面積を変更できない。その結果、商品Ｓの盗難やいたずらなどをより確実に防止することができる。これに加えて、防犯板１３の取付部６０ｃ，６２ｃへの取付位置がメインドア４を開放した状態で変更されるので、その変更動作を容易に行うことができる。
【００２７】
なお、実施形態は、防犯部材として取付部６０ｃ，６２ｃに対する取付位置を上下方向に２段階に変更可能な防犯板１３を用いた例であるが、本願発明の防犯部材はこれに限らず、取付位置の変更に伴って販売口１５の開口面積を変更可能なものであればよい。例えば、防犯部材として、取付孔を３つ以上備えることで、取付位置を上下方向に３段階以上に変更可能なものや、取付位置を上下方向に無段階に変更可能な構成のものを用いてもよい。
【００２８】
また、実施形態は、防犯部材としての防犯板１３をねじ止めにより取付部６０ｃ，６２ｃに取り付けた例であるが、防犯板１３を取付部６０ｃ，６２ｃに取り付ける構成はこれに限らず、防犯板１３を取付部６０ｃ，６２ｃに着脱できる構成であればよい。
【００２９】
さらに、実施形態は、防犯部材としての防犯板１３を販売機本体３内のシュート６に取り付けた例であるが、防犯板１３をメインドア４側に取り付けるように構成してもよい。
【００３０】
また、実施形態は、本願発明の販売口装置１を販売口１５が商品販売室１０の背面側に配置された自動販売機２に適用した例であるが、本願発明の販売口装置を適用可能な自動販売機はこれに限らず、商品販売室を商品収納部に連通させる販売口を備えた自動販売機であればよい。例えば、販売口が商品販売室の天壁側に配置された自動販売機に適用してもよい。
【図面の簡単な説明】
【００３１】
【図１】本発明の一実施形態に係る販売口装置を適用した自動販売機を示す斜視図である。
【図２】自動販売機のメインドアを開放した状態を示す斜視図である。
【図３】シュートおよび防犯板の概略構成を示す正面図である。
【図４】メインドアを閉鎖した状態での販売口装置の概略構成を示す、図３のＡ−Ａ線に沿って破断した断面図である。
【符号の説明】
【００３２】
１    販売口装置
２    自動販売機
３    販売機本体
４    メインドア
５    商品収納庫（商品収納部）
１０    商品販売室
１２    取出口
１３    防犯板（防犯部材）
１５    販売口
６０ｃ  取付部
６２ｃ  取付部
Ｓ    商品
【図１】
2006243885.tif 000003
【図２】
2006243885.tif 000004
【図３】
2006243885.tif 000005
【図４】
2006243885.tif 000006